(57)【要約】【課題】標準電波に基づく時刻修正を適切に行うことが可能な計時回路及び計時装置を提供する。【解決手段】スイッチ回路１３３は、標準電波に基づく自動時刻修正が許可されている状態で、利用者が所定の操作を行い、標準電波に基づく自動時刻修正の禁止を要求した場合、自動修正選択回路１３４へ自動修正禁止信号を供給する。自動修正選択回路１３４は、自動修正禁止信号が供給された場合、標準電波デコード回路１２１からの時刻コードを時刻カウンタ１２３へ供給することを停止する。【選択図】        図３
2004286556.tif 000002
【特許請求の範囲】
【請求項１】
標準電波から得られる標準時刻情報に基づく計時を行う計時部と、
操作部からの指示に応じて、前記標準電波に基づく時刻の自動修正を許可又は禁止する自動修正許否部と、
前記自動修正許否部により標準電波に基づく時刻の自動修正が許可された場合に、前記標準電波から得られる標準時刻情報を前記計時部へ供給し、前記自動修正許否部により標準電波に基づく時刻の自動修正が禁止された場合に、前記標準電波から得られる標準時刻情報を前記計時部へ供給しない標準時刻情報供給選択部と、
を備える計時回路。
【請求項２】
請求項１に記載の計時回路において、
前記自動修正許否部により標準電波に基づく計時時刻の自動修正が禁止された場合に、その旨を表示部に表示させる表示選択部を備える計時回路。
【請求項３】
請求項１又は２に記載の計時回路において、
前記計時部により計時される時刻に加算されるオフセット時間を設定するオフセット時間設定部と、
前記自動修正許否部により標準電波に基づく時刻の自動修正が禁止された場合に、前記オフセット時間を消去するオフセット時間消去部と、
を備える計時回路。
【請求項４】
標準電波を受信する受信部と、
前記標準電波から得られる標準時刻情報に基づく計時を行う計時部と、
前記標準電波に基づく時刻の自動修正の許否に関する指示を行う操作部と、
前記操作部からの指示に応じて、前記標準電波に基づく時刻の自動修正を許可又は禁止する自動修正許否部と、
前記自動修正許否部により標準電波に基づく時刻の自動修正が許可された場合に、前記標準電波から得られる標準時刻情報を前記計時部へ供給し、前記自動修正許否部により標準電波に基づく時刻の自動修正が禁止された場合に、前記標準電波から得られる標準時刻情報を前記計時部へ供給しない標準時刻情報供給選択部と、
を備える計時装置。
【請求項５】
請求項４に記載の計時装置において、
表示部と、
前記自動修正許否部により標準電波に基づく計時時刻の自動修正が禁止された場合に、その旨を前記表示部に表示させる表示選択部と、
を備える計時装置。
【請求項６】
請求項４又は５に記載の計時装置において、
前記計時部により計時される時刻に加算されるオフセット時間を設定するオフセット時間設定部と、
前記自動修正許否部により標準電波に基づく時刻の自動修正が禁止された場合に、前記オフセット時間を消去するオフセット時間消去部と、
を備える計時装置。
【発明の詳細な説明】
【０００１】
【発明の属する技術分野】
本発明は計時回路及び計時装置に係り、特に、標準電波を受信して時刻を自動修正することが可能な計時回路及び計時装置に関する。
【０００２】
【従来の技術】
日本においては、時間、及び、周波数の標準、並びに、協定世界時（ＵＴＣ）に基づく日本標準時（ＪＳＴ）を国内外に知らせるために、標準電波ＪＪＹが送信されている。この標準電波ＪＪＹは、周波数４０ｋＨｚ又は６０ｋＨｚの搬送波にタイムコードを重畳したものである。
【０００３】
いわゆる電波時計と称される計時装置は、標準電波ＪＪＹを受信し、当該標準電波ＪＪＹに含まれる標準時刻情報である時刻コードを抽出する。更に、電波時計は、自動修正機能により、抽出した時刻コードに基づいて表示時刻を自動修正する（例えば、特許文献１及び特許文献２参照）。
【０００４】
【特許文献１】
特開２００１−３０５２４８号公報（第３−４頁、図１）
【０００５】
【特許文献２】
特開２００２−１４１８３号公報（第４−５頁、図５）
【０００６】
【発明が解決しようとする課題】
しかし、自動車等の車両に搭載される電波時計は、車両の周囲に存在する電磁ノイズなどの影響により、標準電波ＪＩＹから抽出した時刻コードが誤ったものとなる場合がある。その結果、電波時計は、自動修正機能を作動させているにもかかわらず、誤った時刻を表示してしまうことになる。
【０００７】
このような問題の対策として、上述した特許文献２は、エンジン作動中に生じるノイズが大きいことに鑑み、エンジン作動中は標準電波を受信せず、エンジンが停止されている場合にのみ、標準電波を受信して時刻を自動修正する技術が開示されている。
【０００８】
しかしながら、特許文献２に開示された技術では、電波時計は、エンジンが長時間作動している場合には、その間、標準電波に基づく時刻修正ができず、適切な方法ではない。また、特許文献２に開示された技術では、電波時計は、エンジン停止中に受信した標準電波から抽出した時刻コードが誤ったものであっても、その誤った時刻コードに基づく時刻修正が行われてしまう。
【０００９】
本発明は上記の点に鑑みてなされたもので、その課題は、標準電波に基づく時刻修正を適切に行うことが可能な計時回路及び計時装置を提供することである。
【００１０】
【課題を解決するための手段】
上記課題を解決するため、本発明は請求項１に記載されるように、標準電波から得られる標準時刻情報に基づく計時を行う計時部と、操作部からの指示に応じて、前記標準電波に基づく時刻の自動修正を許可又は禁止する自動修正許否部と、前記自動修正許否部により標準電波に基づく時刻の自動修正が許可された場合に、前記標準電波から得られる標準時刻情報を前記計時部へ供給し、前記自動修正許否部により標準電波に基づく時刻の自動修正が禁止された場合に、前記標準電波から得られる標準時刻情報を前記計時部へ供給しない標準時刻情報供給選択部とを備える計時回路である。
【００１１】
このような計時回路では、操作部からの指示に応じて、標準電波に基づく時刻の自動修正が許可又は禁止されるため、利用者は自らの意思により、計時回路に標準電波に基づく時刻の自動修正を行わせるか否かを決定することができ、標準電波に基づく時刻修正を適切に行うことが可能となる。
【００１２】
また、本発明は請求項２に記載されるように、請求項１に記載の計時回路において、前記自動修正許否部により標準電波に基づく計時時刻の自動修正が禁止された場合に、その旨を表示部に表示させる表示選択部を備える。
【００１３】
この場合には、利用者は、自らの指示に応じて、計時回路において標準電波に基づく計時時刻の自動修正が禁止されたことを認識することができる。
【００１４】
また、本発明は請求項３に記載されるように、請求項１又は２に記載の計時回路において、前記計時部により計時される時刻に加算されるオフセット時間を設定するオフセット時間設定部と、前記自動修正許否部により標準電波に基づく時刻の自動修正が禁止された場合に、前記オフセット時間を消去するオフセット時間消去部とを備える。
【００１５】
計時回路によっては、標準電波に基づく標準時刻に、オフセット時間を加算することにより、あえて標準時刻より進んだ時刻や遅らせた時刻を表示部に表示させることができるものがある。このような計時回路において、標準電波に基づく時刻の自動修正が許可されている時にオフセット時間が設定されており、その後、標準電波に基づく時刻の自動修正が禁止され、再度、許可された場合を考える。この場合、利用者は、標準電波に基づく時刻の自動修正が再度許可されたことのみに着目して、オフセット時間が設定されたままになっていることを忘れてしまうことがある。このため、利用者は、表示される時刻が標準電波に基づく標準時刻よりも進んでいる、あるいは、遅れているにもかかわらず、その表示される時刻を正確なものと誤認してしまう可能性が高い。従って、標準電波に基づく時刻の自動修正が禁止された場合には、計時回路は、オフセット時間を消去するように動作することにより、利用者の誤認を回避することができる。
【００１６】
また、請求項１に記載の発明と同様の観点から、本発明は請求項４に記載されるように、標準電波を受信する受信部と、前記標準電波から得られる標準時刻情報に基づく計時を行う計時部と、前記標準電波に基づく時刻の自動修正の許否に関する指示を行う操作部と、前記操作部からの指示に応じて、前記標準電波に基づく時刻の自動修正を許可又は禁止する自動修正許否部と、前記自動修正許否部により標準電波に基づく時刻の自動修正が許可された場合に、前記標準電波から得られる標準時刻情報を前記計時部へ供給し、前記自動修正許否部により標準電波に基づく時刻の自動修正が禁止された場合に、前記標準電波から得られる標準時刻情報を前記計時部へ供給しない標準時刻情報供給選択部とを備える計時装置である。
【００１７】
また、本発明は請求項５に記載されるように、請求項４に記載の計時装置において、表示部と、前記自動修正許否部により標準電波に基づく計時時刻の自動修正が禁止された場合に、その旨を前記表示部に表示させる表示選択部とを備える。
【００１８】
また、本発明は請求項６に記載されるように、請求項４又は５に記載の計時装置において、前記計時部により計時される時刻に加算されるオフセット時間を設定するオフセット時間設定部と、前記自動修正許否部により標準電波に基づく時刻の自動修正が禁止された場合に、前記オフセット時間を消去するオフセット時間消去部とを備える。
【００１９】
【発明の実施の形態】
以下、図面を参照しながら本発明の実施の形態を説明する。
【００２０】
図１は、本発明の一実施形態である車載用計時装置である電波時計の外観図である。図１に示すように、電波時計１００は、表示器１１８及び操作部１２を備える。表示器１１８は、時表示部２１、分表示部２２、時分を分割するための記号部２３により構成されている。また、操作部１２は、時修正スイッチ１１４、分修正スイッチ１１５及びセットスイッチ１１６により構成されている。時修正スイッチ１１４は、時間表示を修正するための操作スイッチである。分修正スイッチ１１５は、分表示を修正するための操作スイッチである。セットスイッチ１１６は、分表示を「００」にセットするための操作スイッチである。この電波時計１００は、利用者の操作部１２の操作による要求に応じて、選択的に標準電波に基づく自動時刻修正を行う。
【００２１】
図２は、本発明の一実施形態である車載用計時装置である電波時計のブロック構成図である。図２に示すように、電波時計１００は、アンテナ１１１、受信回路１１２、計時用ＩＣ（ｉｎｔｅｇｒａｔｅｄ  ｃｉｒｃｕｉｔ）１１３、時修正スイッチ１１４、分修正スイッチ１１５、セットスイッチ１１６、発振子１１７及び表示器１１８を備える。
【００２２】
アンテナ１１１は、標準電波を受信し、受信回路１１２へ供給する。受信回路１１２は、このアンテナ１１１からの標準電波を復調し、復調された信号を計時用ＩＣ１１３の端子Ｔ１へ供給する。
【００２３】
計時用ＩＣ１１３は、一つのＩＣチップであり、端子Ｔ１〜Ｔ８を有する。端子Ｔ１には、受信回路１１２が接続され、受信回路１１２から標準電波を復調した信号が供給される。端子Ｔ２には、時修正スイッチ１１４が接続され、時修正指示信号が供給される。端子Ｔ３には、分修正スイッチ１１５が接続され、分修正指示信号が供給される。端子Ｔ４には、セットスイッチ１１６が接続され、セット指示信号が供給される。
【００２４】
端子Ｔ５と端子Ｔ６との間には発振子１１７が接続される。端子Ｔ７には、電源電圧Ｖｃｃが印加される。端子Ｔ８には、表示器１１８が接続され、表示信号が出力される。
【００２５】
次に計時用ＩＣ１１３について詳細に説明する。図３は、計時用ＩＣ１１３のブロック構成図を示す。図３に示す計時用ＩＣ１１３は、標準電波デコード回路１２１、時分修正回路１２２、時刻カウンタ１２３、受信状況カウンタ１２４、オフセットカウンタ１２５、加算器１２６、表示選択回路１２７、表示制御回路１２８、出力回路１２９、発振回路１３０、クロック生成回路１３１、電源生成回路１３２、スイッチ回路１３３及び自動修正選択回路１３４を備える。
【００２６】
標準電波デコード回路１２１には、受信回路１１２から端子Ｔ１へ供給される標準電波に応じた信号が供給される。標準電波デコード回路１２１は、標準電波に応じた信号をデコードし、標準電波に含まれる時刻コードを抽出する。標準電波デコード回路１２１で抽出された時刻コードは、自動修正選択回路１３４及び受信状況カウンタ１２４に供給される。
【００２７】
スイッチ回路１３３は、利用者が操作部１２の時修正スイッチ１１４及び分修正スイッチ１１５に対して操作を行った場合に、端子Ｔ２からの時修正指示信号及び端子Ｔ３からの分修正指示信号の供給状態に応じて、標準電波に基づく自動時刻修正を許可又は禁止する制御を行う。
【００２８】
具体的には、スイッチ回路１３３は、標準電波に基づく自動時刻修正が許可されている状態で、例えば、利用者が時修正スイッチ１１４及び分修正スイッチ１１５を同時に所定時間（例えば６秒間）押下することにより、標準電波に基づく自動時刻修正の禁止を要求した場合、換言すれば、時修正指示信号及び分修正指示信号が同時に所定時間以上供給された場合、自動修正選択回路１３４へ自動修正禁止信号を供給するとともに、自動時刻修正が禁止された旨が表示される際のタイミング信号を表示選択回路１２７へ供給する。
【００２９】
一方、スイッチ回路１３３は、標準電波に基づく自動時刻修正が禁止されている状態で、例えば、利用者が時修正スイッチ１１４及び分修正スイッチ１１５を同時に所定時間（例えば６秒間）押下することにより、標準電波に基づく自動時刻修正の許可を要求した場合、換言すれば、時修正指示信号及び分修正指示信号が同時に所定時間以上供給された場合、自動修正選択回路１３４へ自動修正許可信号を供給するとともに、表示選択回路１２７に対するタイミング信号の出力を停止する。
【００３０】
自動修正選択回路１３４は、スイッチ回路１３３から自動修正許可信号が供給されて、自動時刻修正が許可された場合、標準電波デコード回路１２１からの時刻コードを時刻カウンタ１２３へ供給するとともに、自動時刻修正が許可された状態であることを示す自動時刻修正許可状態信号をスイッチ回路１３３へ出力する。
【００３１】
一方、自動修正選択回路１３４は、スイッチ回路１３３から自動修正禁止信号が供給されて、自動時刻修正が禁止された場合、標準電波デコード回路１２１からの時刻コードを時刻カウンタ１２３へ供給することを停止するとともに、自動時刻修正が禁止された状態であることを示す自動時刻修正禁止状態信号をスイッチ回路１３３へ供給する。更に、自動修正選択回路１３４は、スイッチ回路１３３から自動修正禁止信号が供給され、自動時刻修正が禁止された場合、表示選択回路１２７へ自動時刻修正が禁止された状態である旨の表示内容に関する信号（自動時刻修正禁止表示信号）を供給するとともに、オフセットカウンタ１２５に設定されているオフセットカウント値を消去する。
【００３２】
時刻カウンタ１２３は、自動時刻修正が許可されている状態において、現在の時刻カウント値を、自動修正選択回路１３４から供給された時刻コードに変更する。また、時刻カウンタ１２３は、時分修正回路１２２により時刻カウント値を修正可能である。
【００３３】
時分修正回路１２２は、表示制御回路１２８からの表示状態切替信号が通常表示状態を示す信号である場合に、端子Ｔ２からの時修正指示信号に応じて時桁が１ステップずつカウントアップするように、時刻カウンタ１２３のカウント値をカウントアップするとともに、端子Ｔ３からの分修正指示信号に応じて分桁が１ステップずつカウントアップするように時刻カウンタ１２３のカウント値をカウントアップする。
【００３４】
また、時分修正回路１２２は、端子Ｔ４からのセット指示信号に応じて分桁が「００」となるように時刻カウンタ１２３のカウント値をセットする。これによって、時刻カウンタ１２３の時刻カウント値が標準電波の時刻コードに応じた時刻に変更可能となるとともに、利用者の操作に応じて時刻カウンタ１２３の時刻カウント値を修正することができる。時刻カウンタ１２３の時刻カウント値は、加算器１２６に供給される。
【００３５】
また、時分修正回路１２２は、表示制御回路１２８からの表示状態切替信号がオフセット表示状態を示す信号であるときには、端子Ｔ２からの時修正指示信号に応じて時桁が１ステップずつカウントアップするようにオフセットカウンタ１２５のカウント値をカウントアップし、端子Ｔ３からの分修正指示信号に応じて分桁が１ステップずつカウントアップするようにオフセットカウンタ１２５のカウント値をカウントアップする。これによって、オフセットカウンタ１２５にオフセット時間（オフセットカウント値）が設定される。オフセットカウンタ１２５のオフセットカウント値は、加算器１２６及び表示選択回路１２７に供給される。
【００３６】
加算器１２６は、時刻カウンタ１２３の時刻カウント値とオフセットカウンタ１２５のオフセットカウント値とを加算する。すなわち、加算器１２６は、表示器１１８に表示される時刻を、時刻カウンタ１２３の時刻カウント値に基づく時刻よりも所定時間だけ進めさせたり、所定時間だけ遅らせたりすることが可能となる。加算器１２６のカウント値は、表示選択回路１２７に供給される。
【００３７】
表示選択回路１２７には、表示制御回路１２８から修正履歴表示信号及び選択信号が供給される。表示選択回路１２７は、選択信号が通常表示状態を選択する信号である時には、加算器１２６のカウント値を選択して、出力回路１２９へ供給する。また、表示選択回路１２７は、表示制御回路１２８からの選択信号が修正履歴表示状態を選択する信号である時には、表示制御回路１２８から供給される修正履歴表示信号を選択して、出力回路１２９へ供給する。更に、表示選択回路１２７は、表示制御回路１２８からの選択信号がオフセット表示状態を選択する信号である時には、オフセットカウンタ１２５のオフセットカウント値を選択して、出力回路１２９へ供給する。
【００３８】
また、表示選択回路１２７は、自動修正選択回路１３４から自動時刻修正禁止表示信号が供給されると、スイッチ回路１３３からタイミング信号が供給された時に、当該自動時刻修正禁止表示信号を出力回路１２９へ供給する。
【００３９】
出力回路１２９は、表示選択回路１２７からの信号に基づいて表示器駆動信号を生成し、端子Ｔ８から出力する。例えば、出力回路１２９は、表示選択回路１２７から時刻カウント値が供給された場合には、表示器１１８に時刻カウント値に応じた時刻が表示されるように、当該表示器１１８を駆動する表示器駆動信号を生成する。
【００４０】
また、出力回路１２９は、表示選択回路１２７から修正履歴表示信号が供給された場合には、表示器１１８に修正履歴表示信号に応じた修正履歴表示が行われるように、当該表示器１１８を駆動する表示器駆動信号を生成する。更に、出力回路１２９は、表示選択回路１２７からオフセットカウント値が供給された場合には、表示器１１８にオフセットカウント値が表示されるように、当該表示器１１８を駆動する表示器駆動信号を生成する。
【００４１】
また、出力回路１２９は、自動修正選択回路１３４から自動時刻修正禁止表示信号が供給された場合には、表示器１１８に当該自動時刻修正禁止表示信号に応じた表示内容が表示されるように、当該表示器１１８を駆動する表示器駆動信号を生成する。この場合、表示器１１８の表示は、例えば、図４に示すものとなり、利用者は、この表示により自動時刻修正が禁止された状態であることを認識することができる。
【００４２】
また、受信状況カウンタ１２４は、標準電波デコード回路１２１で時刻コードが検出されると、リセットされ、カウントを開始する。受信状況カウンタ１２４のカウント値は、表示制御回路１２８に供給される。
【００４３】
表示制御回路１２８には、端子Ｔ２から時修正指示信号が供給され、端子Ｔ３から分修正指示信号が供給される。表示制御回路１２８は、端子Ｔ２から時修正指示信号及び端子Ｔ３から分修正指示信号に応じて、表示器１１８の表示状態の切り替えを行っている。
【００４４】
表示制御回路１２８は、通常表示状態では、時刻カウンタ１２３のカウント値がカウントアップされるように、表示状態切替信号によって時分修正回路１２２を制御している。表示制御回路１２８は、通常表示状態において時修正指示信号と分修正指示信号とが同時に供給されると、修正履歴表示状態にする。
【００４５】
表示制御回路１２８は、修正履歴表示状態では、受信状況カウンタ１２４からのカウント値、及び、修正状況フラグＦに応じて修正履歴表示信号を生成し、表示選択回路１２７へ供給する。また、表示制御回路１２８は、表示選択回路１２７により修正履歴表示信号が選択されるように、当該表示選択回路１２７へ選択信号を供給する。修正状況フラグＦは、受信状況カウンタ１２４がリセットされるときに、「１」に設定され、端子Ｔ２〜端子Ｔ４から時修正指示信号、分修正指示信号、セット指示信号の何れかが供給されると、「０」に設定される。
【００４６】
表示制御回路１２８は、修正履歴表示状態で所定時間、例えば、６秒間経過すると、表示状態を自動的にオフセット表示状態にする。表示制御回路１２８は、オフセット表示状態では、時分修正回路１２２によりオフセットカウンタ１２５のオフセットカウント値がカウントアップされるように、表示状態切替信号によって、当該時分修正回路１２２を制御するとともに、表示選択回路１２７によりオフセットカウンタ１２５のオフセットカウント値が選択されるように、当該表示選択回路１２７に選択信号を供給する。
【００４７】
表示制御回路１２８は、オフセット表示状態で、端子Ｔ２からの時修正指示信号と端子Ｔ３からの分修正指示信号とが略同時に供給されるか、又は、端子Ｔ２からの時修正指示信号又は端子Ｔ３からの分修正指示信号が所定時間、例えば、１５秒間供給されないと、通常表示状態に戻る。
【００４８】
発振回路１３０は、端子Ｔ５及びＴ６に接続されており、計時用ＩＣ１１３の外部に接続される発振子１１７とともに、所定周波数の発振信号を生成する。発振回路１３０で生成された発振信号は、クロック生成回路１３１に供給される。クロック生成回路１３１は、発振回路１３０からの発振信号に基づいて各種クロックを生成し、計時用ＩＣ１３１の各部へ供給する。
【００４９】
また、電源生成回路１３２には、端子Ｔ７から電源電圧Ｖｃｃが供給される。電源生成回路１３２は、電源電圧Ｖｃｃから所定の駆動電圧を生成し、計時用ＩＣ１３１の各部へ供給する。
【００５０】
次に電波時計１００の動作について詳細に説明する。図５は、電波時計１００の動作を示すフローチャートである。
【００５１】
電波時計１００は、電源がオンされると、電波オン状態となり、標準電波に基づく自動時刻修正が許可された状態になる（ステップ１０１）。この場合、電波時計１００における表示状態は、電波オン・通常表示状態となる（ステップ１０２）。
【００５２】
この電源オン状態において、電波時計１００は、利用者によって第１の所定操作（例えば、時修正スイッチ１１４及び分修正スイッチ１１５を同時に押下する操作）が行われたか否かを判定する（ステップ１０３）。利用者によって第１の所定操作が行われた場合、電波時計１００は、表示状態を修正履歴表示状態に遷移させる（ステップ１０４）。
【００５３】
更に、電波時計１００は、第１の所定操作が所定時間継続したか否かを判定する（ステップ１０５）。第１の所定操作が所定時間継続した場合、電波時計１００は、電波オフ状態となり、標準電波に基づく自動時刻修正が禁止された状態になる（ステップ１０６）。更に、電波時計１００は、オフセットカウンタ１２５に設定されているオフセット時間を消去し（ステップ１０７）、電波オフ状態となり、表示状態を、標準電波に基づく自動時刻修正が禁止された状態を示す表示状態（電波オフ表示状態）に遷移させる（ステップ１０８）。
【００５４】
更に所定時間（例えば６秒間）経過後、電波時計１００は、電波オフ表示状態を、自動修正が禁止された時刻表示の状態（電波オフ・通常表示状態）に遷移させる（ステップ１０８−１）。
【００５５】
次に、電波時計１００は、利用者によって第２の所定操作（例えば、時修正スイッチ１１４及び分修正スイッチ１１５を同時に押下する操作）が行われたか否かを判定する（ステップ１０９）。利用者によって第２の所定操作が行われた場合、電波時計１００は、表示状態を電波オフ表示状態に遷移させ（ステップ１１０）、更に、第２の所定操作が所定時間継続したか否かを判定する（ステップ１１１）。第２の所定操作が所定時間継続していない場合には、電波時計１００は、表示状態を電波オフ・通常表示状態に戻し（ステップ１０８−１）、再び、利用者によって第２の所定操作が行われたか否かの判定（ステップ１０９）以降の動作を繰り返す。
【００５６】
一方、第２の所定操作が所定時間継続した場合、電波時計１００は、電波オン状態となり、標準電波に基づく自動時刻修正が許可された状態になる（ステップ１１２）。更に、電波時計１００は、表示状態を修正履歴表示状態に遷移させる（ステップ１１３）。
【００５７】
その後、電波時計１００は、利用者が時修正スイッチ１１４及び分修正スイッチ１１５を操作することなく、所定時間（例えば１５秒間）経過すると、表示状態を、オフセット表示状態に遷移させる（ステップ１１４）。また、電波時計１００は、ステップ１０５において、第１の所定操作が所定時間継続していないと判断した場合も、電波時計１００は、表示状態を、オフセット表示状態に遷移させる（ステップ１１４）。
【００５８】
電波時計１００は、表示状態をオフセット表示状態に遷移させた後、利用者によって第３の所定操作（例えば、時修正スイッチ１１４及び分修正スイッチ１１５を同時に押下する操作）が行われたか否か、又は、所定時間（例えば１５秒間）無操作であるか否かを判定する（ステップ１１５）。第３の所定操作が行われた場合、あるいは、無操作の場合、電波時計１００は、表示状態を、再び電波オン・通常表示に戻す（ステップ１０２）。
【００５９】
このように、本実施形態の電波時計１００は、利用者による操作部１２の操作指示に応じて、標準電波に基づく時刻の自動修正を許可し、あるいは、禁止することができる。このため、利用者は自らの意思により、電波時計１００に対して標準電波に基づく時刻の自動修正を行わせるか否かを決定することができ、標準電波に基づく時刻修正を適切に行うことが可能となる。
【００６０】
また、電波時計１００は、標準電波に基づく時刻の自動修正が禁止されている場合、その旨を表示器１１８に表示するため、利用者は、自らの指示に応じて、電波時計１００において標準電波に基づく計時時刻の自動修正が禁止されたことを認識することができる。
【００６１】
また、電波時計１００は、標準電波に基づく時刻の自動修正が禁止されている場合、オフセットカウンタ１２５に設定されているオフセット時間を消去するため、その後、標準電波に基づく時刻の自動修正が許可された場合に、利用者がオフセット時間が加算された時刻を標準時刻と誤認してしまうことを防止することができる。
【００６２】
なお、上記実施形態では、時刻カウンタ１２３が計時部に、スイッチ回路１３３が自動修正許否部に、自動修正選択回路１３４が標準時刻情報供給選択部に対応する。また、表示選択回路１２７が表示選択部に、オフセットカウンタ１２５がオフセット時間設定部に、自動修正選択回路１３４がオフセット時間消去部に対応する。
【００６３】
【発明の効果】
上述の如く、本発明によれば、標準電波に基づく時刻修正を適切に行うことが可能となる。
【図面の簡単な説明】
【図１】計時装置の外観図である。
【図２】計時装置のブロック構成図である。
【図３】計時用ＩＣのブロック構成図である。
【図４】電波オフ状態時の表示例である。
【図５】計時装置の動作を示すフローチャートである。
【符号の説明】
１００  電波時計
１１１  アンテナ
１１２  受信回路
１１３  計時ＩＣ
１１４  時修正スイッチ
１１５  分修正スイッチ
１１６  セットスイッチ
１１７  発振素子
１１８  表示器
１２１  標準電波デコード回路
１２２  時分修正回路
１２３  時刻カウンタ
１２４  受信状況カウンタ
１２５  オフセットカウンタ
１２６  加算器
１２７  表示選択回路
１２８  表示制御回路
１２９  出力回路
１３０  発振回路
１３１  クロック生成回路
１３２  電源生成回路
１３３  スイッチ回路
１３４  自動修正選択回路
【図１】
2004286556.tif 000003
【図２】
2004286556.tif 000004
【図３】
2004286556.tif 000005
【図４】
2004286556.tif 000006
【図５】
2004286556.tif 000007